(57)【特許請求の範囲】
【請求項１】
可視光域に吸光特性を有する複数の薄膜が、基板上で平面的に配置されて構成されるカラーフィルタにおいて、
前記複数の薄膜は、間隔をあけて隣接する薄膜側に突出し、隣接する薄膜の一辺に部分的に重なる重なり部が形成され、
前記重なり部のうち、重なり部が設けられる薄膜の一辺上で、前記重なり部が設けられる薄膜の一辺に平行な長さｂが、前記重なり部が設けられる薄膜の一辺の長さａの１０％以上かつ８０％以下であることを特徴とするカラーフィルタ。
【請求項２】
可視光域に吸光特性を有する複数の薄膜が、基板上で平面的に配置されて構成されるカラーフィルタにおいて、
前記複数の薄膜は、間隔をあけて隣接する薄膜側に突出し、隣接する薄膜の一辺に部分的に重なる重なり部が形成され、
前記重なり部のうち、重なり部が設けられる薄膜の一辺上で、前記重なり部が設けられる薄膜の一辺に平行な長さｂが、３０μｍ以上かつ２４０μｍ以下であり、
前記重なり部が設けられる薄膜の一辺の長さａが３００μｍであることを特徴とするカラーフィルタ。
【請求項３】
前記重なり部の形状が、略矩形、略半円形、略半紡錘形または略多角形であることを特徴とする請求項１または２記載のカラーフィルタ。
【請求項４】
可視光域に吸光特性を有する複数の薄膜が、基板上で平面的に配置されて構成されるカラーフィルタにおいて、
前記複数の薄膜は、間隔をあけて隣接する薄膜側に突出し、隣接する薄膜の一辺に部分的に重なる重なり部が形成され、
前記重なり部は、隣接する薄膜の一辺に部分的に連なって薄膜の一辺に平行な一対の第１辺と、薄膜の一辺に垂直な一対の第２辺とを有する矩形状に形成されて、重なり部の第１辺の長さｂが、前記隣接する薄膜の一辺の長さａの１０％以上かつ８０％以下であることを特徴とするカラーフィルタ。
【請求項５】
請求項１〜４のいずれか１つに記載のカラーフィルタを有し、前記カラーフィルタの表面に電極が形成されることを特徴とするカラーフィルタ基板。
【請求項６】
請求項１〜４のいずれか１つに記載のカラーフィルタを備えることを特徴とする表示装置。
【請求項７】
請求項５記載のカラーフィルタ基板を備えることを特徴とする表示装置。
【発明の詳細な説明】
【０００１】
【発明の属する技術分野】
本発明は、カラーフィルタ、カラーフィルタ基板、およびそれらを備えた液晶表示装置、ＥＬ（エクレトロルミネッセンス）表示装置またはプラズマディスプレイなどの表示装置に関する。
【０００２】
【従来の技術】
図９は、従来のカラーフィルタ１１を有する液晶表示装置２０を示す断面図である。液晶表示装置２０は、互いに対向する第１基板８および第２基板１５を有し、スペーサ７によって基板間隔が一定に保持される。第１基板８は、透明基板上に、スイッチング素子、配線、絶縁層、画素電極および配向膜などが積層され構成される。第２基板１５は、透明基板４上に、カラーフィルタ１１、対向電極５および配向膜６が積層され構成される。２枚の基板８，１５は、互いの配向膜が向合う状態でシール剤によって貼合わせられ、２枚の基板８，１５の間には液晶９が充填される。
【０００３】
カラーフィルタ１１は、透明基板４上に平面的に配置される赤色（Ｒ）のフィルタ層１、緑色（Ｇ）のフィルタ層２および青色（Ｂ）のフィルタ層３から構成される。各フィルタ層１〜３は、隣のフィルタ層に隣接するように設けられるが、位置合わせのずれなどによって、隣接するフィルタ層に重なってしまう。フィルタ層１〜３が重なると、重なり部にスペーサ７が配置したり、重なり部の段差にスペーサ７が詰まったりして、液晶表示装置２０の基板間隔が不均一になる。液晶表示装置の基板間隔が不均一になると、表示のコントラストの低下や色むらなどが発生し、表示品位が低下する。
【０００４】
そこで、基板間隔を均一にするために、たとえば特開平９−２３０１２４号公報では、フィルタ層が重なることによって生じる盛上がり部分を、研磨し平坦化する技術が開示されている。しかしながら、この従来技術では、各フィルタ層を形成した後、盛上がり部分を研磨し平坦化する工程が別途必要であり、工程数が増加してしまう。
【０００５】
また、カラーフィルタの各フィルタ層が重なることを防ぐために、隣接するフィルタ層間に隙間をあける技術が、特開昭６１−７７００６号公報に開示される。図１０は、従来の各フィルタ層１〜３の間に隙間を設けたカラ―フィルタ１０を示す断面図である。カラーフィルタ１０は、各フィルタ層１〜３が互いに接触しないように、数μｍ〜数十μｍの遮光膜または非表示部上で、隣接するフィルタ層との間に隙間をあけて形成される。
【０００６】
【発明が解決しようとする課題】
カラーフィルタを構成するフィルタ層の多くは、光硬化性の樹脂に着色剤を添加した着色膜剤から成る。光硬化性の樹脂では、露光や現像の関係で図１０に示すように各フィルタ層１〜３の側面が逆テーパ状に形成されやすい。すなわち、各フィルタ層１〜３は、基板４に平行な断面が基板４に近くなるほど小さくなるような形状に形成されやすい。
【０００７】
図１１は、従来のカラ―フィルタ１０および対向電極５を示す断面図である。液晶表示装置では、カラーフィルタ層１０上に、蒸着法またはスパッタ法などによって対向電極５が一様に形成される。しかしながら、図１０および図１１に示すように、カラーフィルタ１０を構成する各フィルタ層１〜３の側面が逆テーパ状であると、対向電極５を各フィルタ層１〜３の側面に形成することは困難であり、対向電極５が隣接するフィルタ層の隙間部分で断裂し、欠陥が発生するおそれがある。また、対向電極５の電気的抵抗値が、必要とする抵抗値よりも高抵抗になってしまう問題がある。
【０００８】
本発明の目的は、各フィルタ層の重なり部分の段差を抑えることができ、かつ各フィルタ上に形成される電極の断裂による抵抗値の上昇を防止することができるカラーフィルタ、カラーフィルタ基板および表示装置を提供することである。
【０００９】
【課題を解決するための手段】
本発明は、可視光域に吸光特性を有する複数の薄膜が、基板上で平面的に配置されて構成されるカラーフィルタにおいて、
前記複数の薄膜は、間隔をあけて隣接する薄膜側に突出し、隣接する薄膜の一辺に部分的に重なる重なり部が形成され、
前記重なり部のうち、重なり部が設けられる薄膜の一辺上で、前記重なり部が設けられる薄膜の一辺に平行な長さｂが、前記重なり部が設けられる薄膜の一辺の長さａの１０％以上かつ８０％以下であることを特徴とするカラーフィルタである。
【００１０】
カラーフィルタを構成する薄膜であるフィルタ層は、光硬化性基材を用いて形成すると、側面が逆テーパ状、すなわち基板に平行な断面が基板に近くなるほど小さくなるような形状に形成されやすい。フィルタ層の側面が逆テーパ状であると、前記カラーフィルタの上に電極を形成する場合に、フィルタ層の側面に電極形成することが困難となり、重なり部のない従来のカラーフィルタでは、電極が隣接するフィルタ層の隙間部分で断裂し、欠陥が発生するおそれがある。
【００１１】
これに対して本発明では、各フィルタ層に隣接するフィルタ層に重なる重なり部を設けたので、その上に形成される電極が断裂し、欠陥が発生することを防止することができる。
【００１２】
また、各フィルタ層が、隣のフィルタ層と間隔をあけずに配置される従来のカラーフィルタでは、位置合わせのずれなどによって、フィルタ層が隣接するフィルタ層に重なり、大きな段差が生じることがある。
【００１３】
これに対して本発明では、カラーフィルタの各フィルタ層間に間隔をあけるとともに、各フィルタ層に隣接するフィルタ層の一辺に部分的に重なる重なり部を設けたので、各フィルタ層の重なりによる段差を抑えることができる。
【００１４】
また重なり部のうち、重なり部が設けられる薄膜の一辺上で、前記重なり部が設けられる薄膜の一辺に平行な長さｂが、前記重なり部が設けられる薄膜の一辺の長さａの、１０％以上かつ８０％以下となることによって、薄膜の表面に電極が形成される場合に、電極の断裂や電気的抵抗値の上昇を防止することができ、かつ重なり部による段差が大きくなることを防止することができる。また、薄膜の基板に平行な形状は、薄膜を形成する際のパターニング工程によって、所定の形状に形成することができるので、製造工程を追加することなく、重なり部を設けることができる。
【００１５】
また本発明は、可視光域に吸光特性を有する複数の薄膜が、基板上で平面的に配置されて構成されるカラーフィルタにおいて、
前記複数の薄膜は、間隔をあけて隣接する薄膜側に突出し、隣接する薄膜の一辺に部分的に重なる重なり部が形成され、
前記重なり部のうち、重なり部が設けられる薄膜の一辺上で、前記重なり部が設けられる薄膜の一辺に平行な長さｂが、３０μｍ以上かつ２４０μｍ以下であり、
前記重なり部が設けられる薄膜の一辺の長さａが３００μｍであることを特徴とするカラーフィルタである。
【００１６】
本発明に従えば、各フィルタ層に隣接するフィルタ層に重なる重なり部を設けたので、その上に形成される電極が断裂し、欠陥が発生することを防止することができる。また重なり部のうち、重なり部が設けられる薄膜の一辺上で、前記重なり部が設けられる薄膜の一辺に平行な長さｂが、３０μｍ以上かつ２４０μｍ以下となり、前記重なり部が設けられる薄膜の一辺の長さａが３００μｍであることによって、薄膜の表面に電極が形成される場合に、電極の断裂や電気的抵抗値の上昇を防止することができ、かつ重なり部による段差が大きくなることを防止することができる。
【００１７】
また本発明は、前記重なり部の形状が、略矩形、略半円形、略半紡錘形または略多角形であることを特徴とする。
【００１８】
本発明に従えば、フィルタ層の基板に平行な形状は、フィルタ層を形成する際のパターニング工程によって、所定の形状に形成することができるので、前記重なり部の基板に平行な形状を、略矩形、略半円形、略半紡錘形、略半楕円形または略多角形に形成することができる。
また本発明は、可視光域に吸光特性を有する複数の薄膜が、基板上で平面的に配置されて構成されるカラーフィルタにおいて、
前記複数の薄膜は、間隔をあけて隣接する薄膜側に突出し、隣接する薄膜の一辺に部分的に重なる重なり部が形成され、
前記重なり部は、隣接する薄膜の一辺に部分的に連なって薄膜の一辺に平行な一対の第１辺と、薄膜の一辺に垂直な一対の第２辺とを有する矩形状に形成されて、重なり部の第１辺の長さｂが、前記隣接する薄膜の一辺の長さａの１０％以上かつ８０％以下であることを特徴とするカラーフィルタである。
本発明に従えば、各フィルタ層に隣接するフィルタ層に重なる重なり部を設けたので、その上に形成される電極が断裂し、欠陥が発生することを防止することができる。また矩形状の重なり部のうちで、薄膜の一辺に平行な一対の一辺の長さｂが、前記隣接する薄膜の一辺の長さａの、１０％以上かつ８０％以下となることによって、フィルタ層の表面に電極が形成される場合に、電極の断裂や電気的抵抗値の上昇を防止することができ、かつ重なり部による段差が大きくなることを防止することができる。
【００１９】
また本発明は、前記カラーフィルタを有し、カラーフィルタの表面に電極が形成されることを特徴とするカラーフィルタ基板である。
【００２０】
本発明に従えば、前記カラーフィルタを備えるカラーフィルタ基板は、カラーフィルタの表面に形成される電極の断裂や抵抗値の上昇を防止することができ、かつフィルタ層の重なりによる段差を抑えることができる。
【００２１】
また本発明は、前記カラーフィルタを備えることを特徴とする表示装置である。
【００２２】
位置ずれなどによって、フィルタ層が隣接するフィルタ層の一辺全体に重なる従来の液晶表示装置では、重なり部にスペーサが配置したり、重なり部の段差にスペーサが詰まったりして、液晶表示装置の基板間隔が不均一になり、表示品位が低下するなどの問題が発生した。
【００２３】
これに対して、本発明による表示装置では、カラーフィルタの各フィルタ層間に間隔をあけるとともに、各フィルタ層に隣接するフィルタ層の一辺に部分的に重なる重なり部を設けたので、各フィルタ層の重なりによる段差を抑えることができる。よって、たとえば液晶表示装置であれば、スペーサが重なり部の段差に詰ったり、重なり部に配置されたりすることがなくなり、基板間隔が均一に保持され、表示コントラストの低下や色むらを防止することができ、表示品位が向上する。
【００２４】
また、前記カラーフィルタを備える表示装置は、カラーフィルタの表面に形成される電極の断裂や抵抗値の上昇を防止することができる。
【００２５】
また本発明は、前記カラーフィルタ基板を備えることを特徴とする表示装置である。
【００２６】
本発明に従えば、カラーフィルタの表面に形成される電極の断裂や抵抗値の上昇を防止することができる。また、フィルタ層の重なりによる段差が小さいので、たとえば液晶表示装置であれば、重なり部にスペーサが配置することを防止することができ、表示コントラストの低下や色むらを防止することができ、表示品位が向上する。
【００２７】
【発明の実施の形態】
以下、本発明について液晶表示装置に備えられるカラーフィルタを例に説明する。図１は、本発明の第１の実施形態であるカラーフィルタ１２を示す平面図であり、図２は、図１の切断面線Ａ−Ｂから見た断面図であり、図３は、図１の切断面線Ａ’−Ｂ’から見た断面図である。カラーフィルタ１２は、基板４上に画素毎に平面的に配置される赤色（Ｒ）のフィルタ層１、緑色（Ｇ）のフィルタ層２および青色（Ｂ）のフィルタ層３から構成される。また、カラーフィルタ１２は、細長い矩形状のフィルタ層１〜３が、並んで配置されるストライプ配列のカラーフィルタである。
【００２８】
各フィルタ層１〜３は、光硬化性基材から成り、図１の横方向に隣接するフィルタ層との間に隙間をあけて配置され、隣接するフィルタ層側に突出し、隣接するフィルタ層の一辺に部分的に重なる重なり部１ａ〜３ａを有する。重なり部１ａ〜３ａは、基板４に平行な断面形状が矩形状であり、隣接するフィルタ層の一辺のすべてに重なるのではなく、該一辺の一部のみに重なる。
【００２９】
図４は、カラーフィルタ１２を備える液晶表示装置２１を示す断面図である。液晶表示装置２１は、互いに対向する第１基板８および第２基板１５を有し、スペーサ７によって基板間隔が一定に保持される。第１基板８は、透明基板上に、スイッチング素子、配線、絶縁層、画素電極および配向膜などが積層され構成される。第２基板１５は、カラーフィルタ基板であり、透明基板４上に、カラーフィルタ１２が形成され、その上にスパッタ法または蒸着法によってＩＴＯ（インジウム錫酸化物）膜などの対向電極５が一様に形成され、さらに配向膜６が形成され構成される。２枚の基板８，１５は、互いの配向膜が向合う状態でシール剤によって貼合わせられ、２枚の基板８，１５の間には液晶９が充填される。
【００３０】
フィルタ層１〜３は、光硬化性基材を用いて形成すると、側面が逆テーパ状、すなわち基板に平行な断面が基板に近くなるほど小さくなるような形状に形成されやすい。カラーフィルタ１０を構成する各フィルタ層１〜３の側面が逆テーパ状であると、対向電極５を各フィルタ層１〜３の側面に形成することは困難であり、重なり部のない従来の構造では、対向電極５が隣接するフィルタ層の隙間部分で断裂し、欠陥が発生するおそれがある。
【００３１】
これに対して本実施の形態では、各フィルタ層１〜３に隣接するフィルタに重なる重なり部１ａ〜３ａを設けたので、対向電極５が断裂し、欠陥が発生することを防止することができる。
【００３２】
重なり部を有する従来の液晶表示装置では、カラーフィルタの重なり部が隣接するフィルタ層の一辺全体に重なるので、重なり部にスペーサが配置したり、重なり部の段差にスペーサが詰まったりして、液晶表示装置の基板間隔が不均一になり、表示品位が低下するなどの問題が発生した。
【００３３】
これに対して、本実施の形態では、カラーフィルタ１２の重なり部１ａ〜３ａが、隣接するフィルタ層の一辺に部分的に重なるので、スペーサ７が重なり部１ａ〜３ａの段差に詰ったり、重なり部１ａ〜３ａに配置されたりすることがなくなり、基板間隔が均一に保持される。
【００３４】
図５は、カラーフィルタ１２を備える複数のサンプル液晶表示装置２１の対向電極５の面抵抗の値および干渉縞（Newtons Ring）の発生本数の測定結果を示すグラフである。干渉縞は、液晶表示装置の液晶層厚みが不均一になると発生する。ここでは、Ｎａランプを用いて干渉縞の本数を測定した。
【００３５】
次に、サンプル液晶表示装置２１が備えるカラーフィルタ１２の製造方法について説明する。フィルタ層１〜３の材料としては、富士フィルムオーリン社製レジスト（カラーモザイク）ＣＭ−Ｒ（赤）、ＣＭ−Ｇ（緑）、ＣＭ−Ｂ（青）を用いる。まず、１色目のレジストを、たとえばスピン塗布法によって、基板４上に塗布し乾燥して樹脂膜を形成する。形成した樹脂膜に対して、所定のマスク部を有するマスク版を用いて波長３６５ｎｍ、露光量４０ｍＪ〜６０ｍＪで露光する。その後、アルカリ現像液にて現像し、焼成を行う。この作業を３回（赤、緑、青）行うことによって、３色のフィルタ層１〜３が形成され、カラーフィルタ１２が製造される。このように各フィルタ層１〜３の基板４に平行な形状は、フィルタ層１〜３を形成する際のパターニング工程によって、所定の形状に形成することができるので、製造工程を追加することなく、重なり部１ａ〜３ａを設けることができる。
【００３６】
上記のように製造したカラーフィルタ１２上に、スパッタ法によってＩＴＯ（インジウム錫酸化物）から成る対向電極５を１４００Åの膜厚で形成し、スペーサ７として、５μｍ直径のミクロパールＳＰ（積水化学工業（株）製の商品名）を用い、通常の液晶表示装置の製造方法に沿って対角１５インチのサンプル液晶表示装置２１を複数作成した。
【００３７】
各サンプル液晶表示装置２１のフィルタ層１〜３の平面形状の設計寸法を下記に示す。３色のフィルタ層１〜３は、形状が等しくなるように設計される。図１〜図３において、ａは重なり部が設けられるフィルタ層の一辺の画素毎の長さ、ｂは重なり部が設けられるフィルタ層の一辺に平行な重なり部の長さ、ｃは隣接するフィルタ層間の隙間、ｄはフィルタ層の厚さ、ｅは重なり部が設けられるフィルタ層の一辺に垂直な重なり部の長さである。
【００３８】
ここでは、フィルタ層の重なり部の長さｂを０μｍ，３０μｍ，６０μｍ，９０μｍ，１２０μｍ，１５０μｍ，１８０μｍ，２１０μｍ，２４０μｍ，２７０μｍ，３００μｍと異ならせ、その他の長さを、ａ＝３００μｍ，ｃ＝３μｍ，ｄ＝２μｍ，ｅ＝１０μｍと等しく設計することによって、１１種類のサンプル液晶表示装置２１を作成した。すなわち、重なり部が設けられるフィルタ層の一辺の長さａに対する該一辺に平行な重なり部の長さｂの割合ｂ／ａが、０〜１．０（０．１刻み）となるように１１種類のサンプル液晶表示装置２１を作成した。
【００３９】
表１は、カラーフィルタ１２のｂ／ａの値に対する対向電極５の面抵抗の値および干渉縞の発生本数の測定結果を示す表である。
【００４０】
【表１】
0003818839.tif 000002
【００４１】
図５および表１に示すように、ｂ／ａの値の増加に伴い、対向電極５の抵抗値が低下するとともに、干渉縞の発生本数が増加、すなわち基板間隔のバラツキが増大する。これは、重なり部の長さｂを大きくすると、対向電極５の断裂を防ぐことができる一方で、重なり部にスペーサ７が詰りやすくなるからである。
【００４２】
逆に、ｂ／ａの値が減少すると、対向電極５が断裂しやすくなり、抵抗値が上昇するが、スペーサ７は重なり部に配置されなくなり、干渉縞の発生本数が減少、すなわち基板間隔が均一になる。
【００４３】
図５および表１から判るように、ｂ／ａの値を０．１以上でかつ０．８以下の間に設定することで、対向電極５の面抵抗が５０Ω／□以下で、かつ干渉縞１本以下の範囲を満たすカラーフィルタ１２を得ることができる。つまり、カラーフィルタ１２のｂ／ａの値を０．１以上でかつ０．８以下の間に設定することで、対向電極５の抵抗値の上昇を防止することができ、かつ基板間隔を均一に保持する良好な表示品位を示す液晶表示装置２１を作成することができる。なお、現在のフィルタ層の解像限界は、約１５〜３０μｍであるので、ｂ＝１５μｍとしてｂ／ａの値を０．０５とすることも可能である。この構成では、対向電極５の抵抗値がやや高くなるものの、スペーサ７が重なり部に配置することを防止することができる。
【００４４】
本実施の形態のカラーフィルタ１２は、重なり部の基板４に平行な形状が矩形であるが、本発明はこれに限定されず、たとえば略三角形、略半円形、略半紡錘形または略多角形であってもかまわない。
【００４５】
図６は、本発明の第２の実施形態であるカラーフィルタ１３を示す平面図である。図１〜図３に示すカラーフィルタ１２は、重なり部１ａ〜３ａの基板４に平行な形状が矩形であるが、図６に示すカラーフィルタ１３は、重なり部１ａ〜３ａの基板４に平行な形状が三角形である。
【００４６】
図７は、カラーフィルタ１３を備える複数のサンプル液晶表示装置の対向電極の面抵抗の値および干渉縞の発生本数の測定結果を示すグラフである。表２は、カラーフィルタ１３のｂ／ａに対する対向電極の面抵抗の値および干渉縞の発生本数の測定結果を示す表である。
【００４７】
【表２】
0003818839.tif 000003
【００４８】
ここでは、フィルタ層の重なり部の長さｂを０μｍ，３０μｍ，６０μｍ，９０μｍ，１２０μｍ，１５０μｍと異ならせ、その他の長さを一様に、ａ＝３００μｍ，ｃ＝３μｍ，ｄ＝２μｍ，ｅ＝１０μｍと等しく設計した。図７および表２に示すように、ｂ／ａの値を０．１〜０．５の間に設定することで、面抵抗５０Ω／□以下、干渉縞１本以下の範囲を満たす液晶表示装置を得ることができる。つまり、重なり部１ａ〜３ａの基板４に平行な形状が三角形であっても、重なり部１ａ〜３ａの基板４に平行な形状が矩形である液晶表示装置と同様に、対向電極の断裂を防止することができ、かつ重なり部１ａ〜３ａにスペーサが配置されることを防止することができる。なお、カラーフィルタ基板のカラーフィルタ上に形成される電極は、たとえばストライプ状など所定の形状にパターニングされていてもかまわない。
【００４９】
図８は、本発明の第３の実施形態であるカラーフィルタ１４，１５を示す平面図である。図１〜図４および図６に示すカラーフィルタ１２，１３は、ストライプ配列のカラーフィルタであるが、図８に示すカラーフィルタ１４，１５は、デルタ配列のカラーフィルタである。
【００５０】
図８の（ａ）に示すカラーフィルタ１４は、基板４上に平面的に配置される赤色（Ｒ）のフィルタ層１、緑色（Ｇ）のフィルタ層２および青色（Ｂ）のフィルタ層３から構成される。各フィルタ層１〜３は、図８の横方向および縦方向に隣接するフィルタ層との間に隙間をあけて配置され、図８の横方向に跨橋、すなわち重なり部が形成されている。
【００５１】
青色のフィルタ層３は、向合う２辺に重なり部３ａ，３ｂが設けられ、重なり部３ａが隣接する緑色のフィルタ層２と、重なり部３ｂが隣接する赤色のフィルタ層１と重なっている。緑色のフィルタ層２は、青色のフィルタ層３の重なり部３ａが重なる一辺に向合う一辺に重なり部２ａを有し、重なり部２ａが隣接する赤色のフィルタ層１に重なっている。赤色のフィルタ層１は、重なり部を有さないが、隣接する緑色のフィルタ層２の重なり部２ａと青色のフィルタ層３の重なり部３ｂとによって、隣接するフィルタ層と重なっている。各重なり部３ａ，３ｂ，２ａは、隣接するフィルタ層の一辺のすべてに重なるのではなく、該一辺の一部のみに重なる。
【００５２】
図８の（ｂ）に示すカラーフィルタ１４は、基板４上に平面的に配置される赤色（Ｒ）のフィルタ層１、緑色（Ｇ）のフィルタ層２および青色（Ｂ）のフィルタ層３から構成される。各フィルタ層１〜３は、図８の横方向および縦方向に隣接するフィルタ層との間に隙間をあけて配置され、縦横方向に跨橋、すなわち重なり部が形成されている。
【００５３】
青色のフィルタ層３は、垂直に交わる２辺に重なり部３ａ，３ｂが設けられ、各重なり部３ａ，３ｂが隣接する緑色のフィルタ層２に重なっている。緑色のフィルタ層２は、青色のフィルタ層３の重なり部３ａ，３ｂが重なる二辺とそれぞれ向合う二辺に重なり部２ａ，２ｂを有し、各重なり部２ａ，２ｂが隣接する赤色のフィルタ層１に重なっている。赤色のフィルタ層１は、重なり部を有さないが、隣接する緑色のフィルタ層２の重なり部２ａ，２ｂによって、隣接するフィルタ層と重なっている。各重なり部３ａ，３ｂ，２ａ，２ｂは、隣接するフィルタ層の一辺のすべてに重なるのではなく、該一辺の一部のみに重なる。
【００５４】
従来のデルタ配列のカラーフィルタでは、従来のストライプ配列のカラーフィルタに比べて、対向電極の断裂が発生しやすかったが、本実施の形態のように重なり部を設けることによって、対向電極の断裂を防止することができ、かつ重なり部にスペーサが配置することを防止することができる。
【００５５】
本実施の形態では、デルタ配列のカラーフィルタについて説明したが、本発明はこれに限定されず、たとえばモザイク配列またはスクウェア配列のカラーフィルタにも適用することができる。
【００５６】
以上説明したカラーフィルタ１２〜１５は、赤色のフィルタ層１、緑色のフィルタ層２および青色のフィルタ層３から構成されるが、本発明はこれに限らず、たとえば遮光性を有する黒色（もしくは金属膜）のフィルタ層を含んで構成されてもよいし、またシアン、マゼンダ、イエローに着色されたフィルタ層から構成されてもかまわない。なお、本発明の重なり部は、どのフィルタ層のどの辺に設けても、隣接するフィルタ層同士が重なっていれば、対向電極の断裂を防止することができる。
【００５７】
また、本発明のカラーフィルタおよびカラーフィルタ基板は、液晶表示装置に限らず、プラズマディスプレイまたはエレクトロルミネッセンス（ＥＬ）表示装置などの他の表示装置にも設けることができる。
【００５８】
【発明の効果】
以上のように本発明によれば、カラーフィルタは、各フィルタ層に隣接するフィルタ層に重なる重なり部を設けたので、その上に形成される電極が断裂し、欠陥が発生するしたり、電極の電気的抵抗値が上昇することを防止することができる。
【００５９】
また、カラーフィルタの各フィルタ層間に間隔をあけるとともに、各フィルタ層に隣接するフィルタ層の一辺に部分的に重なる重なり部を設けたので、各フィルタ層の重なりによる段差を抑えることができる。
【００６０】
さらに、フィルタ層の基板に平行な形状は、フィルタ層を形成する際のパターニング工程によって、所定の形状に形成することができるので、製造工程を追加することなく、重なり部を設けることができる。
【００６１】
したがって、本発明によるカラーフィルタを備える表示装置は、製造工程を追加することなく、表示コントラストの低下や色むらを防止することができ、表示品位が向上する。
【図面の簡単な説明】
【図１】本発明の第１の実施形態であるカラーフィルタ１２を示す平面図である。
【図２】本発明の第１の実施形態であるカラーフィルタ１２を示す断面図である。
【図３】本発明の第１の実施形態であるカラーフィルタ１２を示す断面図である。
【図４】カラーフィルタ１２を備える液晶表示装置２１を示す断面図である。
【図５】カラーフィルタ１２を備える複数のサンプル液晶表示装置２１の対向電極５の面抵抗の値および干渉縞の発生本数の測定結果を示すグラフである。
【図６】本発明の第２の実施形態であるカラーフィルタ１３を示す平面図である。
【図７】カラーフィルタ１３を備える複数のサンプル液晶表示装置の対向電極の面抵抗の値および干渉縞の発生本数の測定結果を示すグラフである。
【図８】本発明の第３の実施形態であるカラーフィルタ１４，１５を示す平面図である。
【図９】従来のカラーフィルタ１１を備える液晶表示装置２０を示す断面図である。
【図１０】各フィルタ層１〜３の間に隙間を設けた従来のカラ―フィルタ１０を示す断面図である。
【図１１】従来のカラーフィルタ１０および対向電極５を示す断面図である。
【符号の説明】
１  赤色のフィルタ層
２  緑色のフィルタ層
３  青色のフィル層
４  透明基板
５  対向電極
６  配向膜
７  スペーサ
８  第１基板
９  液晶
１２，１３，１４，１５  カラーフィルタ
２１  液晶表示装置
【図１】
0003818839.tif 000004
【図２】
0003818839.tif 000005
【図３】
0003818839.tif 000006
【図４】
0003818839.tif 000007
【図５】
0003818839.tif 000008
【図６】
0003818839.tif 000009
【図７】
0003818839.tif 000010
【図８】
0003818839.tif 000011
【図９】
0003818839.tif 000012
【図１０】
0003818839.tif 000013
【図１１】
0003818839.tif 000014